(57)【要約】      （修正有）【課題】プレーヤーが望む位置に捕球ポケットを容易に形成できるようにするとともに、グローブの開閉の操作性をよりスムースにできるグローブを提供する。【解決手段】掌側表皮２０を有する掌部本体２と、甲側表皮３０を有する甲部本体３と、人差し指領域と、親指領域と、を有し、人差し指領域と親指領域の間に形成されるクロッチ領域Ｃにおいて、掌側表皮２０と甲側表皮３０を結合しないことで形成される開口部Ａと、開口部Ａからグローブ内部に通じるユニット配置用空間部Ｓと、このユニット配置用空間部Ｓに配置される、ポケット形成ユニット４と、を備え、ポケット形成ユニット４をクロッチ領域Ｃにおいて掌側表皮２０に結合するとともに、ポケット形成ユニット４の甲部本体側に形成される第１中空領域Ｓ１と、ポケット形成ユニット４の掌部本体側に形成される第２中空領域Ｓ２と、を備えた。【選択図】図９
0003202463.tif 000002
【実用新案登録請求の範囲】
【請求項１】
掌側表皮を有する掌部本体と、甲側表皮を有する甲部本体と、
少なくとも、人差し指領域と、親指領域と、を有するグローブであって、
人差し指領域と親指領域の間に形成されるクロッチ領域において、掌側表皮と甲側表皮を結合しないことで形成される開口部と、
この開口部からグローブ内部に通じるユニット配置用空間部と、
このユニット配置用空間部に配置される、衝撃緩衝機能付きポケット形成ユニットと、を備え、
前記衝撃緩衝機能付きポケット形成ユニットを前記クロッチ領域において掌側表皮に結合するとともに、
前記衝撃緩衝機能付きポケット形成ユニットの甲部本体側に形成される第１中空領域と、
前記衝撃緩衝機能付きポケット形成ユニットの掌部本体側に形成される第２中空領域と、を備えたことを特徴とするグローブ。
【請求項２】
前記クロッチ領域において、掌側表皮が甲部本体側に折り返された直線状の折り返し部を有しており、この折り返し部に前記衝撃緩衝機能付きポケット形成ユニットが結合されることを特徴とする請求項１に記載のグローブ。
【請求項３】
前記衝撃緩衝機能付きポケット形成ユニットは、平板状の衝撃吸収パッドと、この衝撃吸収パッドをカバーするパッドカバーと、を備えており、前記パッドカバーが前記折り返し部に結合されることを特徴とする請求項２に記載のグローブ。
【請求項４】
前記パッドカバーに少なくとも１つのスリットが形成されることを特徴とする請求項３に記載のグローブ。
【請求項５】
前記パッドカバーは、前記折り返し部以外の箇所で掌側表皮に結合するための安定結合領域を有することを特徴とする請求項３又は４に記載のグローブ。
【請求項６】
前記パッドカバーの上に重ねて袋部を形成し、袋部の開口が前記開口部の方向に位置することを特徴とする請求項３〜５のいずれか１項に記載のグローブ。
【考案の詳細な説明】
【技術分野】
【０００１】
本考案は、野球、ソフトボール、および他のスポーツ用のグローブに関する。特に、プレーヤーの好む位置に捕球ポケットを容易に形成可能なグローブに関する。
【背景技術】
【０００２】
野球およびソフトボールなどのスポーツでは、プレーヤーは、ボールを捕球するためのグローブを着用する。図１３は、従来のグローブの一例として野球用グローブを（ａ）掌部本体側、および、（ｂ）甲部本体側から見た斜視図を示す。
【０００３】
グローブ１は、甲側表皮３０を備える甲部本体３と、掌側表皮２０を備える掌部本体２を紐結びや縫製により結合することで形成されている。グローブ１には、親指に対応する親指領域２１と人差し指に対応する人差し指領域２２を有しており、両者の間はウェブ５により連結される。また、ウェブ５の下方、すなわち、人差し指領域２２と親指領域２１の基部はクロッチ領域Ｃと呼ばれているが、このクロッチ領域Ｃにおいて、掌側表皮２０が甲側表皮側に折り返されており、この折り返された部分２０ｘが甲側表皮３０に結合されている。
【０００４】
一方、グローブの重要な機能の１つは、グローブにより捕球されたボールの衝撃からプレーヤーを保護することである。プレーヤーがボールの衝撃を受けるときの衝撃ゾーンＸは、図１に示すように、人差し指領域２２と親指領２１域の間の基部を含む領域に存在する。ボールの衝撃を何度も受けることで、捕球ポケットが衝撃ゾーンＸ内に形成されていく。
【０００５】
ところで、従来のグローブは、クロッチ領域Ｃにおいて、掌側表皮２０の一部が甲側表皮側に折り返されて結合（縫製）されているため、このクロッチ領域Ｃは柔軟性がなく、グローブ１の開閉の妨げになっている。また、衝撃ゾーンＸに捕球ポケットを形成していく過程において、クロッチ領域Ｃが硬さを有するため、グローブ１を開閉するときの操作性を低下させ、プレーヤーが好む位置に捕球ポケットを形成することが難しくなっており、時間がかかっている。
【考案の概要】
【考案が解決しようとする課題】
【０００６】
本考案は上記実情に鑑みてなされたものであり、その課題は、捕球時のグローブの開閉の操作性をよりスムースにでき、プレーヤーが望む位置に捕球ポケットを容易に形成できるグローブを提供することである。
【課題を解決するための手段】
【０００７】
上記課題を解決するため本考案に係るグローブは、
掌側表皮を有する掌部本体と、甲側表皮を有する甲部本体と、少なくとも、人差し指領域と、親指領域と、を有するグローブであって、
人差し指領域と親指領域の間に形成されるクロッチ領域において、掌側表皮と甲側表皮を結合しないことで形成される開口部と、この開口部からグローブ内部に通じるユニット配置用空間部と、このユニット配置用空間部に配置される、衝撃緩衝機能付きポケット形成ユニットと、を備え、
前記衝撃緩衝機能付きポケット形成ユニットを前記クロッチ領域において掌側表皮に結合するとともに、
前記衝撃緩衝機能付きポケット形成ユニットの甲部本体側に形成される第１中空領域と、
前記衝撃緩衝機能付きポケット形成ユニットの掌部本体側に形成される第２中空領域と、を備えたことを特徴とするものである。
【０００８】
この構成によるグローブの従来技術と比較した利点を説明する。従来においては、クロッチ領域において、掌側表皮が甲側表皮側に折り返されて結合されているが、本考案においては、クロッチ領域において掌側表皮と甲側表皮が結合されない。これにより、グローブ内部のユニット配置用空間部に通じる開口部が形成される。クロッチ領域において掌側表皮と甲側表皮が結合されないため、この箇所は柔軟性を有するようになり、グローブの開閉操作が容易になる。また、ユニット配置用空間部には、衝撃緩衝機能付きポケット形成ユニット（以下、「ポケット形成ユニット」と略すことがある。）が配置される。このポケット形成ユニットは、クロッチ領域において掌側表皮に結合される。ポケット形成ユニットの甲部本体側に第１中空領域が形成され、掌部本体側に第２中空領域が形成される。このポケット形成ユニットは、ボールを捕球するときの衝撃干渉の役割を果たすと同時に、中空領域を設けることでポケット形成ユニットは所定の自由度をもってユニット配置用空間部に配置されることになる。その結果、プレーヤーが望む位置に捕球ポケットを容易に形成できるようになる。
【０００９】
本考案に係る前記クロッチ領域において、掌側表皮が甲部本体側に折り返された直線状の折り返し部を有しており、この折り返し部に前記衝撃緩衝機能付きポケット形成ユニットが結合されることが好ましい。
【００１０】
このような直線状の折り返し部を設けることで、ポケット形成ユニットと掌側表皮との結合を行いやすくできる。また、この折り返し部を利用して、ウェブとの結合も行うことができる。
【００１１】
本考案において、前記衝撃緩衝機能付きポケット形成ユニットは、平板状の衝撃吸収パッドと、この衝撃吸収パッドをカバーするパッドカバーと、を備えており、前記パッドカバーが前記折り返し部に結合されることが好ましい。
【００１２】
ポケット形成ユニットは、少なくとも、衝撃吸収パッドとパッドカバーを備えており、パッドカバーが折り返し部に結合される。従って、衝撃吸収パッドはパッドカバーにより確実に折り返し部に結合することができる。
【００１３】
本考案において、前記パッドカバーに少なくとも１つのスリットが形成されることが好ましい。かかるスリットを設けることで、ポケット形成ユニットが折れやすくなり、プレーヤーの望む捕球ポケットの形成をより促進させることができる。
【００１４】
本考案に係る前記パッドカバーは、前記折り返し部以外の箇所で掌側表皮に結合するための安定結合領域を有することが好ましい。
【００１５】
かかる安定結合領域を設けることで、ポケット形成ユニットを安定した状態で掌側表皮に結合しながらも、捕球ポケットの形成を促進することができる。
【００１６】
本考案において、前記パッドカバーの上に重ねて袋部を形成し、袋部の開口が前記開口部の方向に位置することが好ましい。
【００１７】
本考案に係るグローブは、クロッチ領域に開口部が形成されているので、ここから砂などの異物がグローブ内に侵入する可能性がある。そこで、パッドカバーと重ねて袋部を設けることで、その中に異物を受け入れることができ、メンテナンスを容易にすることができる。
【図面の簡単な説明】
【００１８】
【図１】本考案の実施形態の一部によるグローブの掌部本体側外観図
【図２】図１のグローブの甲部本体側外観図
【図３】グローブにおけるポケット形成ユニットの位置を示す甲部本体側外観図
【図４】ポケット形成ユニットを掌側表皮に結合した状態を示す平面図
【図５】ポケット形成ユニットの構成を示す分解斜視図
【図６】ポケット形成ユニットが配置される場所を示す模式図
【図７】ポケット形成ユニットを掌側表皮に結合した状態を立体的に示す模式図
【図８】掌側表皮と甲側表皮の間にポケット形成ユニットが配置された状態を立体的に示す模式図
【図９】ポケット形成ユニットの組み立て状態を示す縦断面図
【図１０】本考案をキャッチャーミットに適用した場合の構成を示す外観図
【図１１】別実施形態に係るポケット形成ユニットの構成を示す平面図
【図１２】別実施形態に係るポケット形成ユニットの構成を示す断面図
【図１３】従来技術に係るグローブの外観図
【考案を実施するための形態】
【００１９】
本考案に係るグローブの好適な実施形態を図面を用いて説明する。図１は、野球用グローブを掌部本体側からみた斜視図である。図２は、同じく甲部本体側から見た斜視図である。
【００２０】
＜グローブ全体の構成＞
グローブ１は、掌側表皮２０を有する掌部本体２と、甲側表皮３０を有する甲部本体３を有しており、掌側表皮２０と甲側表皮３０を紐結びあるいは縫製により結合することで、グローブ１内部に指を挿入する空洞部が形成されている。グローブ１は、親指領域２１、人差し指領域２２、中指領域２３、薬指領域２４、小指領域２５を有しており、それぞれ、グローブに挿入される指の位置に対応している。親指領域２１と人差し指領域２２の間には、ウェブ５が配置されており、紐２１ａ，２２ａにより、親指領域２１と人差し指領域２２に結合されている。また、紐２１ａ，２２ａは同時に掌側表皮２０と甲側表皮３０を結合している。
【００２１】
図１において、ボールを捕球するときの衝撃を受ける領域であるボール衝撃ゾーンＸが示されている。この衝撃ゾーンＸに捕球ポケットが形成されることになる。捕球ポケットが形成される位置は、プレーヤーにより異なるものであり、本考案は、プレーヤーが望む位置に容易に捕球ポケットが形成できる。
【００２２】
図１において、親指領域２１と人差し指領域２２の間の基部がクロッチ領域Ｃである。このクロッチ領域Ｃにおいて、掌側表皮２０と甲側表皮３０は、紐２１ａ，２２ａにより結合されない。クロッチ領域Ｃにおいて、掌側表皮２０が甲部本体側に折り返されている。この折り返し部をクロッチフラップ２００と称する。クロッチフラップ２００は直線状に形成される。クロッチフラップ２００には、ポケット形成ユニット４が結合される。ポケット形成ユニット４は、ボールを捕球するときの衝撃を緩和すると共に、プレーヤーが望む位置に捕球ポケットを形成することを促進させる機能を有する。ポケット形成ユニット４の詳細説明は後述する。
【００２３】
図２にも示すように、ウェブ５はクロッチフラップ２００にも紐５ａにより結合されている。クロッチ領域Ｃにおいて、掌側表皮２０と甲側表皮３０は結合されていないので、甲部本体側において、クロッチ領域Ｃには、グローブ内部へ通じる開口部Ａが形成されている（図９も参照）。かかる構成により、クロッチ領域Ｃにおいてグローブの捕球時の柔軟性がよくなるので、グローブの捕球操作を容易にする。これは、捕球ポケットを形成しやすくすることにもつながる。甲部本体側には、周知の開口部Ｂが形成され、手指（本実施形態の場合左手）をグローブ内に挿入するための開口部Ｄも形成される。また、クロッチ領域Ｃの開口部Ａからは、ポケット形成ユニット４の一部が露出して見える形になっている。
【００２４】
＜ポケット形成ユニットの構成＞
図３は、甲部本体側から、ポケット形成ユニット４の配置状態を示す図である。図４は、ポケット形成ユニット４を掌側表皮２０に結合した状態を示す平面図である。図５は、ポケット形成ユニット４の構成を示す分解斜視図である。図６は、ポケット形成ユニット４が配置される場所を示す模式図である。図７は、ポケット形成ユニット４を掌側表皮２０に結合した状態を立体的に示す模式図である。図８は、掌側表皮２０と甲側表皮３０の間にポケット形成ユニット４が配置された状態を立体的に示す模式図である。図９は、ポケット形成ユニット４の組み立て状態を示す縦断面図である。
【００２５】
図４に示すように、掌側表皮２１の裏面側（捕球側と反対側）にポケット形成ユニット４が結合される。図９に示すように、掌側表皮２０はクロッチ領域Ｃにおいてクロッチフラップ２００を有し、直線状である。ポケット形成ユニット４は、平板状の衝撃吸収パッド４０とこの衝撃吸収パッド４０をカバーするパッドカバー４１と安定結合領域４２を有する。なお、安定結合領域４２は、パッドカバー４１と同じ部材で一体的に形成される。パッドカバー４１は、掌側表皮２０や甲側表皮３０と同じ素材により形成することができる。衝撃吸収パッド４０は、発泡性を有するクッション部材により形成される。なお、素材は一例であり、適宜、別の素材を用いてもよい。
【００２６】
クロッチフラップ２００の先端２００ａに衝撃吸収パッド４０とパッドカバー４１の上端が重ねられて、縫製Ｈ１によりまとめて掌側表皮２０に結合される（図９参照）。パッドカバー４１も上端が少し折り返されており、衝撃吸収パッド４０の上端を挟持するように結合される。結合を確実にするため縫製Ｈ１は２列に行われており、クロッチフラップ２００に沿って直線状である。クロッチフラップ２００には、穴２００ｂが４カ所形成されており、ウェブ５を紐５ａで結合するために設けられる。クロッチフラップ２００は、図９の断面方向から見ると環状（筒状）に形成されており、紐５ａを通しやすくしている。
【００２７】
安定結合領域４２は、掌側表皮２０の裏面に接着等の適宜の方法で接着されている。衝撃吸収パッド４０の領域と、安定結合領域４２とは、連結部Ｈ２，Ｈ３でのみ接続されている。すなわち、衝撃吸収パッド４０とその領域のパッドカバー４１は、掌側表皮２０に対しては結合されず、左右と上下に動くことができる。また、安定結合領域４２を設けることで、衝撃吸収パッド４０に自由度を持たせながら、ポケット形成ユニット４を安定した状態で掌側表皮２０に結合することができる。
【００２８】
衝撃吸収パッド４１とパッドカバー４０とは、縫製Ｈ１と縫製Ｈ４により結合されている。パッドカバー４１は、人差し指領域２２に食い込む領域４１ａと中指領域２３に食い込む領域４２ａを有している。衝撃吸収パッド４１は、本実施形態では１層であるが２層以上に形成してもよい。
【００２９】
図５（ｂ）は、２層構造の例を示し、第１の衝撃吸収層４０ａおよび第２の衝撃吸収層４０ｂを備えて、ボールに対する衝撃緩衝力を高めることができる。第１の衝撃吸収層４０ａは、例えば、高密度材料により作製して手の衝撃を軽減し、第２の衝撃吸収層４０ｂは、軟質かつ柔軟性を有するが、衝撃には強い衝撃吸収発泡体で形成することができる。
【００３０】
図９の断面図を見て分かるように、ポケット形成ユニット４の衝撃吸収パッド４０の左右両側に空間が形成される。ポケット形成ユニット４の甲部本体側に第１中空領域Ｓ１が形成され、掌部本体側に第２中空領域Ｓ２が形成される。実際には、甲部本体側に内張り６が設けられており、内張り６とポケット形成ユニット４の間に第１中空領域が形成される。このようにポケット形成ユニット４を配置することで、ボールからの衝撃を緩和すると共に、プレーヤーの好む位置に捕球ポケットを容易に形成できる。
【００３１】
また、パッドカバー４１には縦方向にスリット４３が形成されている。このようなスリット４３を設けることで、ポケット形成ユニット４を折れ曲がりやすくすることができ、捕球ポケットの形成をさらに促進させることができる。スリット４３の個数や方向等は、適宜変更することができる。
【００３２】
図６は、開口部Ａおよびユニット配置用空間部Ｓの形成される場所を示す図であり、掌側表皮２０と甲側表皮３０が結合された状態を模式的に示す。ユニット配置用空間部Ｓは、衝撃ゾーンＸとほぼ重なる領域に形成される。図７は、掌側表皮２０にポケット形成ユニット４が結合された状態を３次元的に示すものであり、掌側表皮２０と甲側表皮３０は模式的に示すものである。図８は、図６の状態において、ポケット形成ユニット４が結合して組み込まれた状態を示す。すなわち、ユニット配置用空間部Ｓにポケット形成ユニット４が配置された状態を示す。
【００３３】
＜ミットの例＞
以上説明してきたのは野手用の野球グローブであるが、図１０に示すようにキャッチャーミットに対しても本考案は適用することができる。本考案のグローブにはファーストミットにも適用することができる。また、野球用以外のグローブ、例えば、アイスホッケー用グローブ、ラクロス用グローブに対しても適用できる。
【００３４】
＜ポケット形成ユニットの別実施形態＞
図１１及び図１２は、ポケット形成ユニット４の別実施形態を示す平面図及び断面図である。図５と異なる点は、袋部４４が付加されている点である。図１２からわかるように、袋部４４には開口部Ｅが形成されている。袋部４４はシート状の素材で形成され、パッドカバー４１の上に重ねるように配置される。両者は縫製されるが、図５の縫製Ｈ４と同じように結合することができる。
【００３５】
クロッチ領域Ｃに開口部Ａが形成されているので、ここから砂などの異物がグローブ内に侵入する可能性がある。そこで、パッドカバー４１と重ねて袋部４４を設けることで、開口部Ｅを介してその中に異物を受け入れることができ、砂の除去作業などのメンテナンスを容易にする。
【００３６】
＜別実施形態＞
本考案において、部材どうしの結合は、紐、縫製、接着などの任意の適切な方法によって結合され得る。従って、紐で結合している箇所を縫製に代えるなどの変形例が可能である。また、素材についても、ゴム、皮革等、適宜の好ましい素材を選択することができる。
【符号の説明】
【００３７】
１          グローブ
２          掌部本体
２０        掌側表皮
２１        親指領域
２２        人差し指領域
２００      クロッチフラップ（折り返し部）
３          甲部本体
３０        甲部本体
４          衝撃緩衝機能付きポケット形成ユニット
４０        衝撃吸収パッド
４１        パッドカバー
４２        安定結合領域
４３        スリット
４４        袋部
Ａ，Ｂ，Ｄ，Ｅ      開口部
Ｃ          クロッチ領域
Ｓ          ユニット配置用空間部
Ｓ１        第１中空領域
Ｓ２        第２中空領域
Ｘ          衝撃ゾーン
【図１】
0003202463.tif 000003
【図２】
0003202463.tif 000004
【図３】
0003202463.tif 000005
【図４】
0003202463.tif 000006
【図５】
0003202463.tif 000007
【図６】
0003202463.tif 000008
【図７】
0003202463.tif 000009
【図８】
0003202463.tif 000010
【図９】
0003202463.tif 000011
【図１０】
0003202463.tif 000012
【図１１】
0003202463.tif 000013
【図１２】
0003202463.tif 000014
【図１３】
0003202463.tif 000015